(57)【要約】      （修正有）【課題】モータの使用寿命を延長することができ、扇風機のモータの回転数はステップレスに調整とすること。【解決手段】交流電源を信号検知ユニットに入力して、制御ユニットによって交流電源の周波数を自動的に測定してパルス位置変調信号を発生することにより、調整素子の励起角度および励起範囲をステップレスに制御し、調整素子の出力パワーをステップレスに適当な大きさに調整した後、扇風機のモータに出力し、扇風機の回転数をステップレスに制御することができる。【選択図】図１
0003100933.tif 000002
【実用新案登録請求の範囲】
【請求項１】
交流電源を信号検知ユニットに入力して、制御ユニットによって交流電源の周波数を自動的に測定してパルス位置変調信号を発生することにより、調整素子の励起角度および励起範囲をステップレスに制御し、前記調整素子の出力パワーをステップレスに適当な大きさに調整した後、扇風機のモータに出力し、扇風機の回転数をステップレスに制御することができることを特徴とする、
回転数調整自在な扇風機の構造。
【請求項２】
制御ユニットは入力した交流電源の周波数は５０Ｈｚ又は６０Ｈｚであるかを自動的に判別でき、且つ入力した交流電源の周波数によって回転数を補償することにより、入力した交流電源が異なる周波数であっても、モータの回転数を３５０ＲＰＭ〜１４００ＲＰＭに保持することを達成できることを特徴とする、請求項１に記載の回転数調整自在な扇風機の構造。
【請求項３】
当該調整素子は二方向性三端子サイリスタであり、コイルの巻き数を固定したモータに合わせて、回転数をステップレスに調整することができることを特徴とする、請求項１に記載の回転数調整自在な扇風機の構造。
【請求項４】
当該制御ユニットは、制御ツマミによって出力したパルス位置変調信号をステップレスに調整できることを特徴とする、請求項１に記載の回転数調整自在な扇風機の構造。
【請求項５】
当該制御ユニットは、リモコン接収部によって出力したパルス位置変調信号をステップレスに調整できることを特徴とする、請求項１に記載の回転数調整自在な扇風機の構造。
【請求項６】
当該制御ユニットは、制御状態を表示するために、別に指示ランプと接続してあることを特徴とする、請求項１に記載の回転数調整自在な扇風機の構造。
【請求項７】
当該制御ユニットは、調整のレスポンスを別に変更することができることを特徴とする、請求項１に記載の回転数調整自在な扇風機の構造。
【請求項８】
当該制御ユニットは、別に時間を設定して扇風機を自動的にオフできることを特徴とする、請求項１に記載の回転数調整自在な扇風機の構造。
【考案の詳細な説明】
【技術分野】
【０００１】
この考案は回転数調整自在な扇風機の構造に係り、特に扇風機の回転数がステップレスに制御でき、ひいては扇風機の風速を調整する効果を達成でき、モータの使用寿命を延長できる回転数調整自在な扇風機の構造に関する。
【背景技術】
【０００２】
地球温暖化の影響で、地球の気温が毎年上昇していくので、夏になると、その気温が我慢できない程度になり、亜熱帯区域の国家では３５℃以上の高温になることがよくあり、熱帯区域の国家では更に暑い。その状況はどんどん酷くなり、冬でも我慢できない程度の暑さが現れる。このとき、扇風機は暑さを解消するための必要なものの一つである。
【０００３】
また、一般の扇風機はモータを動力源とするため、モータの回転数を調整しようとするときには、扇風機におけるスイッチやツマミを切換し又は旋回して、異なる巻き数のコイルへ電気エネルギーを導通することにより、扇風機の回転数を調整する。
【考案の開示】
【考案が解決しようとする課題】
【０００４】
しかしながら、これは次のような欠点があった。
（１）前記モータの回転数は、異なる巻き数のコイルによって決まるため、市販の扇風機の回転数は三段調整可能なタイプであれば、前記モータは三セットの異なる巻き数のコイルを用意することが必要になる。なお、前記コイルは工場から出荷する際に固定されるので、モータの回転数の調整が制限され、自由に調整することができないため、使用は極めて不便である。
【０００５】
（２）モータの回転数の調整は、異なる巻き数のコイルへ電気エネルギーを導通することにより、扇風機の回転数を調整し、電気エネルギーは変更しないので、前記コイルは電気エネルギーが過大で損壊することがよくあり、モータの使用寿命に悪影響を与えることもよくある。
【０００６】
（３）前記のような扇風機の回転数は、モータのコイルのワイヤの直径と材質と特性と巻き技術によるので、モータの回転数をもっと下げることが難しい。いま、回転数が三段に調整できる市販の扇風機の最低回転数は６００ＲＰＭ〜６５０ＲＰＭ程度にあり、近年に開発された超微風機能付きタイプの扇風機の最低回転数は４００ＲＰＭ〜４５０ＲＰＭ程度にあるが、このタイプの扇風機のコイルはもう一セット追加することが必要なので、生産コストは向上する。
【課題を解決するための手段】
【０００７】
上記欠点を解決するためになされた本願の考案は、主に、交流電源を信号検知ユニットに入力して、制御ユニットによって交流電源の周波数を自動的に測定してパルス位置変調信号を発生することにより、調整素子の励起角度および励起範囲をステップレスに制御し、前記調整素子の出力パワーをステップレスに適当な大きさに調整した後、扇風機のモータに出力し、扇風機の回転数をステップレスに制御することができることを特徴とする回転数調整自在な扇風機の構造であることを要旨としている。
【０００８】
また、本願の考案では、制御ユニットは入力した交流電源の周波数は５０Ｈｚ又は６０Ｈｚであるかを自動的に判別でき、且つ入力した交流電源の周波数によって回転数を補償することにより、入力した交流電源が異なる周波数であっても、モータの回転数を３５０ＲＰＭ〜１４００ＲＰＭに保持することを達成できることを特徴とする請求項１に記載の回転数調整自在な扇風機の構造であることを要旨としている。
【０００９】
また、本願の考案では、当該調整素子は二方向性三端子サイリスタ（ＴＲＩＡＣ）であり、コイルの巻き数を固定したモータに合わせて、回転数をステップレスに調整することができることを特徴とする請求項１に記載の回転数調整自在な扇風機の構造であることを要旨としている。
【００１０】
また、本願の考案では、当該制御ユニットは、制御ツマミによって出力したパルス位置変調信号をステップレスに調整してもよいことを特徴とする請求項１に記載の回転数調整自在な扇風機の構造であることを要旨としている。
【００１１】
また、本願の考案では、当該制御ユニットは、リモコン接収部によって出力したパルス位置変調信号をステップレスに調整してもよいことを特徴とする請求項１に記載の回転数調整自在な扇風機の構造であることを要旨としている。
【００１２】
また、本願の考案では、当該制御ユニットは、制御状態を表示するために、別に指示ランプと接続してあることを特徴とする請求項１に記載の回転数調整自在な扇風機の構造であることを要旨としている。
【００１３】
また、本願の考案では、当該制御ユニットは、調整のレスポンスを別に変更することができることを特徴とする、請求項１に記載の回転数調整自在な扇風機の構造であることを要旨としている。
【００１４】
また、本願の考案では、当該制御ユニットは、別に時間を設定して扇風機を自動的にオフしてもよいことを特徴とする、請求項１に記載の回転数調整自在な扇風機の構造であることを要旨としている。
【考案の効果】
【００１５】
この考案によれば、扇風機のモータの回転数は電気エネルギーの大きさで決まるので、モータのコイルは電気エネルギーが過大になる原因で損壊することがなくなり、モータの使用寿命を延長することができる。
【００１６】
この考案によれば、扇風機のモータの回転数はステップレスに調整することができる。
【考案を実施するための最良の形態】
【００１７】
まず、図１を参照する。この考案は、交流電源１を信号検知ユニット２に入力し、前記信号検知ユニット２が制御ユニット３と接続し、前記制御ユニット３は別々に複数の制御ツマミ３１とリモコン接収部３２と接続してあり、且つ前記制御ユニット３と接続する指示ランプ３３は制御状態を表示する。前記制御ユニット３の出力端には調整素子４が接続してあり、前記調整素子４は二方向性三端子サイリスタ（ＴＲＩＡＣ）でもよく、この二方向性三端子サイリスタは、入力した交流電源１によって電気エネルギーの大きさを調整し、扇風機のモータ５の回転数を制御する。
【００１８】
この考案に係る回転数調整自在な扇風機の使用は、交流電源１を信号検知ユニット２に入力して、制御ユニット３によって交流電源１の周波数が５０Ｈｚ又は６０Ｈｚであるかを自動的に判別してパルス位置変調信号を発生し、前記パルス位置変調信号は、制御ユニット３と接続する制御ツマミ３１又はリモコン接収部３２によって調整して、調整素子４の励起角度および励起範囲をステップレスに制御し、前記調整素子４の出力パワーをステップレスに適当な大きさに調整した後、扇風機のモータ５に出力し、扇風機の回転数をステップレスに制御することができる。
【００１９】
なお、前記制御ユニット３と接続する各制御ツマミ３１やリモコン接収部３２から出力する各制御信号は、制御ユニット３の出力を制御することにより、扇風機のモータ５のオン・オフを制御し、且つ調整素子４の励起角度をステップレスに調整することによってモータ５の回転数をステップレスに調整する。そうすると、調整のレスポンスが高すぎで使用者の好きな回転数に調整し難いことを回避できる。そして扇風機のモータ５をステップレスに調整する際には、その回転数は３５０ＲＰＭ〜１４００ＲＰＭの範囲内に自由に調整することができる。また、前記制御ユニット３は、制御ツマミ３１やリモコン接収部３２から出力する制御信号により回転時間を設定することができる。また、制御ツマミ３１やリモコン接収部３２から出力する制御信号は、前記制御ユニット３と接続する指示ランプ３３によって制御状態が表示される。
【図面の簡単な説明】
【００２０】
【図１】この考案の電気回路のブロック図である。
【符号の説明】
【００２１】
１          交流電源            ２        信号検知ユニット
３          制御ユニット        ３１      制御ツマミ
３２        リモコン接収部      ３３      指示ランプ
４          調整素子            ５        モータ
【図１】
0003100933.tif 000003